(57)【要約】      （修正有）【課題】高精度な鍛造品を、低い加圧力のプレスで成形可能な閉塞鍛造装置を提供する。【解決手段】上型ダイセットが下降しワークWを上型ダイ11及び下型ダイ110で閉塞する。さらに下降しクサビ4が固定ブロック後方105と固定カム後方107の当接部に侵入する。固定カム後方107は右に移動し上型ダイ11下型ダイ110を挟み保持する。同時に固定ブロック後方105及びカム保持板103は左に移動しカム保持板103に固定された固定カム前方106も左に移動し上型ダイ11下型ダイ110を挟み保持する。さらに上型ダイセットが下降すると、異なる断面でクサビの下降により、加圧ピンで加圧されたワークは上下型ダイのキャビティ部に充満し成形が完了する。【選択図】図−１
2010260089.tif 000002
【特許請求の範囲】
【請求項１】
ワークを閉塞する上型ダイ、下降して下型の固定カムを移動させるクサビ、固定カムを固定するカム固定ブロック、さらに下降して下型の加圧ピンを付随したカムスライダーを移動させるクサビ構成される上型ダイセットと、ワークを閉塞する下型ダイ、移動して上下ダイを挟み込む固定カム、さらに移動して押し出し加圧する加圧ピンを付随したカムスライダーで構成される下型ダイセットで構成され、上下型ダイでワーク閉塞後、上下型ダイを固定カムにより固定し、遅れて前進する加圧ピンで閉塞鍛造を行う事を特徴とした閉塞鍛造金型装置。
【請求項２】
前記閉塞鍛造金型装置において、加圧ピンを油圧シリンダで加圧する装置を設けた請求項1に記載の閉塞鍛造金型装置。
【請求項３】
前記閉塞鍛造金型装置において、加圧ピンを上型ダイセットに設置し加圧する請求項1に記載の閉塞鍛造金型装置。
【発明の詳細な説明】
【技術分野】
【０００１】
本発明は主として熱間閉塞鍛造を行う際に使用する閉塞鍛造金型装置に関する。
【背景技術】
【０００２】
従来の閉塞鍛造金型装置は、型締圧力、成形圧力共にプレスの加圧力を利用している。例えば特開2002-346678号公報に記載の装置が公知の装置である。
その閉塞鍛造金型装置は、上型の下降と共に、バネを介して上下型を加圧型締め後、上下型に固定されたパンチが遅れて加圧動作することにより、閉塞鍛造が完了する。
【発明の概要】
【０００３】
その閉塞鍛造金型装置は、型締圧力、成形圧力共にプレスの加圧力を利用するため、大きな加圧力のプレスが必要である。さらに加圧のためのバネ、カム等複雑な装置となる。
【０００４】
課題を解決するため請求項１に記載の閉塞鍛造金型装置は、ワークを閉塞する上型ダイ11、下降して下型の固定カムを移動させるクサビ（1）4、下降して下型の加圧ピンを付随したカムスライダー109を移動させるクサビ（2）12、さらにクランプを固定するカム固定ブロック5で構成される上型ダイセットと、ワークを閉塞する下型ダイ110、移動して上下ダイを挟み込む固定カム106  107、さらに移動して押し出し加圧する加圧ピンpcを付随したカムスライダー109で構成される下型ダイセットで構成された閉塞鍛造金型装置である。
【０００５】
本装置においては、上下型ダイ11  110を加圧する必要は無く、固定カム106  107により固定保持する。その際に必要なプレス加圧力は、クサビ（１）４が固定カム後方107と固定ブロック後方105の間に侵入する力のみである。即ちバネs3とバネs4を圧縮する力である。その力はクサビの先端角度αによって決定する。バネs3とバネs4は成形完了後に固定カム106  107を引き戻し上下型ダイを開放する力があれば良く、プレスの型締圧力に較べ，はるかに小さな力である。クサビ4進入後、上下型ダイ11  110を固定する固定カム106  107はクサビ4及びカム固定ブロック５により固定される。少し遅れてクサビ（２）12が下降しカムスライダー19を前進させる、カムスラーダー19に付随の加圧ピンpcが前進し、成形を完了する。
【発明の効果】
【０００６】
本発明は上記記載のように、上下型ダイに閉塞されたワークを下型ダイセットに設さ
れた加圧ピンで加圧し成形する装置であるが、上下型ダイはクサビによりスライドす
る固定カムと固定カムの背面のカム固定ブロック及びクサビにより固定される機構か
ら構成されることにより、低い加圧力のプレスでの閉塞鍛造が可能となるものである。
【０００７】
また加圧ピンを油圧シリンダで加圧する装置を設けることにより、加圧タイミング変
化させること、ストロークを変化させることができる。
【０００８】
さらに加圧ピンを上型ダイセットに設置することにより、種々の形状に対応できる。
【図面の簡単な説明】
【０００９】
【図−１】成形前の閉塞鍛造金型装置の側面の断面図である。
【図−２】成形完了後の閉塞鍛造金型装置の側面の断面図である。
【図−３】成形前の閉塞鍛造金型装置の正面の断面図である。
【図−４】成形完了後の閉塞鍛造金型装置の正面の断面図である。
【発明を実施するための形態】
【実施例】
【００１０】
本発明による閉塞鍛造の実施形態を、図−１ないし図−４に示す図面を参照に説明する。
【００１１】
金型装置はプレス上部のラム（図省略）に上型ベースプレート1を介して固定され上下
動する上型ダイセットと、下部ベースプレート101を介してボルスター（図省略）に固
定された下部ダイセットにより構成されている。  
【００１２】
上型ダイセットには、上型中間保持板3が上型スペーサー2を介して上部ベースプレート1に固定されている。上型中間保持板にはクサビ（１）4、カム固定ブロック5、クサビ（２）12が固定されている。中央部には上型ダイ11が上型ダイ保持板10と共に上型中間保持板3に保持されている。上型ダイ11はバネｓ2を伴った上型ダイ保持ボルトd1、d2（実際は6本）によって、又上型ダイ保持板10は位置決めピン7（実際は4本）で上型中間保持板3に保持されている。バネs１はバネ保持ピン8（実際は4本）を内側に抱し上型中間保持板3を貫通し上部ベースプレート1の下端面に達するように上型ダイ保持板3に保持されている。上型ダイ11の位置決めのために上型ガイドピン6（実際は4本）が上型中間保持板3を貫通し上型ダイ11に固定されている。
【００１３】
下型ダイセットには、中央部に下型ダイ保持ブロック102を介して下型ダイ110が下型ベースプレート101に固定されている。カム保持板103はプレス前後方向（図面では左右方向）にスライドする様に下型ベースプレート101上に設置されている。カム保持板103には固定カム前方106と固定ブロック後方105が固定されている。スライド可能な固定カム後方107はカム保持板103上に設置されている。異なる断面にはスライド可能なカムスライダー保持板111が設置されている。加圧ピンpcはカムスライダー109を介してカムスライダー保持板111に固定されている。
【００１４】
プレスが上死点で停止している状態で、下型ダイ110のキャビティ部にワークWを収めた後プレスを稼動する。上型ダイセットが下降し、最初に上型ダイ11が下型ダイ110  に当接する。上型ダイセットがさらに下降し、クサビ（1）が固定ブロック後方105と固定カム後方107の当接部に侵入する。固定ブロック後方105及びカム保持板103は後方（図面では左）に移動しカム保持板103に固定された固定カム前方106も後方（図面では左）に移動し上型ダイ11下型ダイ110を挟み保持する。同時に固定カム後方107は前方（図面では右）に移動し上型ダイ11下型ダイ110を挟み保持する。
【００１５】
固定カムにより上下型ダイが強固保持された後、上型ダイセットがさらに下降しクサビ（２）12がカムスライダー109傾斜部に当接する。上型ダイセットがさらに下降しカムスライダー109及びカムスライダー109に固定された加圧ピンpcは右に移動する。下型ダイのキャビティ部に有るパンチガイド部112に沿って移動する加圧ピンpcはワークWを加圧し成形を完了する。
【００１６】
成形完了後上型ダイセットが上昇するに伴い、カムスライダー109及びカムスライダー109に固定された加圧ピンpcはリターンピンrp3を介してバネs5により、固定カム106はリターンピンrp2を介してバネs4により、固定カム10７はリターンピンrp1を介してバネs3により、元の位置に引き戻される。
【符号の説明】
【００１７】
１上型ベースプレート    101  下型ベースプレート          
2上型スペーサー        102  下型ダイ保持ブロック      s1   バネ  4ヶ
3上型中間保持板        103  カム保持板                s2   バネ  6ヶ  
4クサビ（1）           104  固定ブロック前方          s3   バネ  2ヶ  
5カム固定ブロック      105  固定ブロック後方          s4   バネ  2ヶ  
6上型ガイドピン        106  固定カム前方              s5   バネ  2ヶ  
7位置決めピン          107  固定カム後方             
rp1  リターンピン  2ヶ  
8スプリング保持ピン    108  固定ブロック              rp2  リターンピン  2ヶ
9上型ダイ保持ボルト    109  カムスライダー            rp3  リターンピン  2ヶ
10上型ダイ保持板       110  下型ダイ                   pc    加圧ピン
11 上型ダイ            
111  カムスライダー保持板       W    ワーク    
12 クサビ（2）          112  パンチガイド部
【先行技術文献】
【特許文献】
【００１８】
【特許文献１】特開2002-346678号
【図−１】
2010260089.tif 000003
【図−２】
2010260089.tif 000004
【図−３】
2010260089.tif 000005
【図−４】
2010260089.tif 000006
【手続補正書】
【提出日】平成21年7月22日(2009.7.22)
【手続補正１】
【補正対象書類名】明細書
【補正対象項目名】０００６
【補正方法】変更
【補正の内容】
【０００６】
本発明は上記記載のように、上下型ダイに閉塞されたワークを下型ダイセットに設置
された加圧ピンで加圧し成形する装置であるが、上下型ダイはクサビによりスライドす
る固定カムと固定カムの背面のカム固定ブロック及びクサビにより固定される機構か
ら構成されることにより、低い加圧力のプレスでの閉塞鍛造が可能となるものである。
【手続補正２】
【補正対象書類名】明細書
【補正対象項目名】００１２
【補正方法】変更
【補正の内容】
【００１２】
上型ダイセットには、上型中間保持板3が上型スペーサー2を介して上部ベースプレート1に固定されている。上型中間保持板にはクサビ（１）4、カム固定ブロック5、クサビ（２）12が固定されている。中央部には上型ダイ11が上型ダイ保持板10と共に上型中間保持板3に保持されている。上型ダイ11はバネｓ2を伴った上型ダイ保持ボルト9（実際は6本）によって、又上型ダイ保持板10は位置決めピン7（実際は4本）で上型中間保持板3に保持されている。バネs１はバネ保持ピン8（実際は4本）を内側に抱し上型中間保持板3を貫通し上部ベースプレート1の下端面に達するように上型ダイ保持板3に保持されている。上型ダイ11の位置決めのために上型ガイドピン6（実際は4本）が上型中間保持板3を貫通し上型ダイ11に固定されている。
【手続補正書】
【提出日】平成21年7月28日(2009.7.28)
【手続補正１】
【補正対象書類名】明細書
【補正対象項目名】００１１
【補正方法】変更
【補正の内容】
【００１１】
金型装置はプレス上部のラム（図省略）に上型ベースプレート1を介して固定され上下
動する上型ダイセットと、下部ベースプレート101を介してボルスター（図省略）に固
定された下型ダイセットにより構成されている。
【手続補正２】
【補正対象書類名】明細書
【補正対象項目名】００１２
【補正方法】変更
【補正の内容】
【００１２】
上型ダイセットには、上型中間保持板3が上型スペーサー2を介して上部ベースプレート1に固定されている。上型中間保持板にはクサビ（１）4、カム固定ブロック5、クサビ（２）12が固定されている。中央部には上型ダイ11が上型ダイ保持板10と共に上型中間保持板3に保持されている。上型ダイ11はバネｓ2を伴った上型ダイ保持ボルト9（実際は6本）によって、又上型ダイ保持板10は位置決めピン7（実際は4本）で上型中間保持板3に保持されている。バネs１はバネ保持ピン8（実際は4本）を内側に抱し上型中間保持板3を貫通し上部ベースプレート1の下端面に達するように上型ダイ保持板10に保持されている。上型ダイ11の位置決めのために上型ガイドピン6（実際は4本）が上型中間保持板3を貫通し上型ダイ11に固定されている。